(57)【特許請求の範囲】
【請求項１】
磁気カードを挿し込んで保持する磁気カード保持孔を有する筐体と、
前記磁気カード保持孔に設けられている磁気ヘッドと、
前記磁気ヘッドよりも前記磁気カード保持孔の底部側に設けられている磁気カード押戻手段と、
前記磁気ヘッドよりも前記磁気カード保持孔の開口部側に設けられている逆走防止部と、を備え、
前記磁気カードは、スタートマークと、記憶部と、エンドマークとを含み、
前記磁気カード押戻手段は、前記磁気カードが前記磁気カード保持孔に挿し込まれた後で、前記磁気カードを押し戻し、
前記逆走防止部は、前記磁気カードが前記磁気カード保持孔に挿し込まれるときに、前記磁気カードを通過させ、前記磁気カードが前記磁気カード押戻手段によって押し戻されるときに、前記磁気カードの進行を止め、
前記磁気ヘッドは、前記磁気カードが前記磁気カード保持孔に挿し込まれるときに、前記スタートマークと、前記記憶部と、前記エンドマークとを、この順に読み取り、
前記磁気ヘッドは、前記磁気カードが前記磁気カード押戻手段によって押し戻されるときに、少なくとも前記エンドマークを読み取る
磁気カードリーダ。
【請求項２】
前記磁気ヘッドは、前記磁気カードが前記磁気カード押戻手段によって押し戻されるときに、前記エンドマークと、前記記憶部の少なくとも一部と、を読み取る
ことを特徴とする請求項１に記載の磁気カードリーダ。
【請求項３】
判定部をさらに含み、
前記判定部は、
前記磁気カードが前記磁気カード保持孔に挿し込まれるときに前記磁気ヘッドに読み取られた前記記憶部の情報の一部と、
前記磁気カードが前記磁気カード押戻手段によって押し戻されるときに前記磁気ヘッドに読み取られた前記記憶部の情報の少なくとも一部が同じか否かを判定する
ことを特徴とする請求項２に記載の磁気カードリーダ。
【請求項４】
磁気カードリーダと、前記磁気カードリーダに接続される端末装置と、を備え、
前記磁気カードリーダは、
磁気カードを挿し込んで保持する磁気カード保持孔を有する筐体と、
前記磁気カード保持孔に設けられている磁気ヘッドと、
前記磁気ヘッドよりも前記磁気カード保持孔の底部側に設けられている磁気カード押戻手段と、
前記磁気ヘッドよりも前記磁気カード保持孔の開口部側に設けられている逆走防止部と、を備え、
前記磁気カードは、スタートマークと、記憶部と、エンドマークとを含み、
前記磁気カード押戻手段は、前記磁気カードが前記磁気カード保持孔に挿し込まれた後で、前記磁気カードを押し戻し、
前記逆走防止部は、前記磁気カードが前記磁気カード保持孔に挿し込まれるときに、前記磁気カードを通過させ、前記磁気カードが前記磁気カード押戻手段によって押し戻されるときに、前記磁気カードの進行を止め、
前記磁気ヘッドは、前記磁気カードが前記磁気カード保持孔に挿し込まれるときに、前記スタートマークと、前記記憶部と、前記エンドマークとを、この順に読み取り、
前記磁気ヘッドは、前記磁気カードが前記磁気カード押戻手段によって押し戻されるときに、少なくとも前記エンドマークを読み取る
ユーザ認証システム。
【発明の詳細な説明】
【技術分野】
【０００１】
本発明は、磁気カードリーダ及びユーザ認証システムに関する。
【背景技術】
【０００２】
磁気カードを読み込むことのできる磁気カードリーダがある。このような磁気カードリーダは、例えば、端末装置に接続されて使用され、特定のユーザを認証するために用いられることがある。
【０００３】
例えば、特許文献１では、光学式センサを、カード走行溝の一端に設けた磁気カードリーダが開示されている。このような磁気カードリーダでは、磁気カードをカード走行溝の一端まで挿入させると、光学式センサが磁気カードを検知する。そのため、正規ユーザの認証が済み、ログイン状態となった後で、正規ユーザが離席する場合、磁気カードをカード走行溝から取り出すだけで、正規でないユーザの使用を阻止することができる。
【先行技術文献】
【特許文献】
【０００４】
【特許文献１】特開平１１−２９６４８３号公報
【発明の概要】
【発明が解決しようとする課題】
【０００５】
ところで、特許文献１に開示される磁気カードリーダでは、例えば、磁気カードと殆ど同じ形状でありつつ光を遮蔽するカードをカード走行溝に挿入しつつ、磁気カードを取り除くことで、ログイン状態を維持し得る。つまり、ユーザ認証に必要な磁気カードを用いてログイン状態に至った後で、この磁気カードとは別のカードを用いても、ログイン状態を維持し得るため、セキュリティを損なうおそれがあった。したがって、このような磁気カードリーダは、セキュリティについて改善の余地を有する。
【０００６】
本発明は、セキュリティを損なうおそれの少ない磁気カードリーダ及びユーザ認証システムを提供する。
【課題を解決するための手段】
【０００７】
本発明にかかる磁気カードリーダは、
磁気カードを挿し込んで保持する磁気カード保持孔を有する筐体と、
前記磁気カード保持孔に設けられている磁気ヘッドと、
前記磁気ヘッドよりも前記磁気カード保持孔の底部側に設けられている磁気カード押戻手段と、
前記磁気ヘッドよりも前記磁気カード保持孔の開口部側に設けられている逆走防止部と、を備え、
前記磁気カード押戻手段は、前記磁気カードが前記磁気カード保持孔に挿し込まれた後で、前記磁気カードを押し戻し、
前記逆走防止部は、前記磁気カードが前記磁気カード保持孔に挿し込まれるときに、前記磁気カードを通過させ、前記磁気カードが前記磁気カード押戻手段によって押し戻されるときに、前記磁気カードの進行を止める。
【０００８】
本発明にかかるユーザ認証システムは、
磁気カードリーダと、前記磁気カードリーダに接続される端末装置と、を備え、
前記磁気カードリーダは、
磁気カードを挿し込んで保持する磁気カード保持孔を有する筐体と、
前記磁気カード保持孔に設けられている磁気ヘッドと、
前記磁気ヘッドよりも前記磁気カード保持孔の底部側に設けられている磁気カード押戻手段と、
前記磁気ヘッドよりも前記磁気カード保持孔の開口部側に設けられている逆走防止部と、を備え、
前記磁気カード押戻手段は、前記磁気カードが前記磁気カード保持孔に挿し込まれた後で、前記磁気カードを押し戻し、
前記逆走防止部は、前記磁気カードが前記磁気カード保持孔に挿し込まれるときに、前記磁気カードを通過させ、前記磁気カードが前記磁気カード押戻手段によって押し戻されるときに、前記磁気カードの進行を止める。
【発明の効果】
【０００９】
本発明によれば、セキュリティを損なうおそれの少ない磁気カードリーダ及びユーザ認証システムを提供することができる。
【図面の簡単な説明】
【００１０】
【図１】実施の形態１にかかる磁気カードリーダの斜視図である。
【図２】実施の形態１にかかる磁気カードリーダの断面図である。
【図３】実施の形態１にかかる磁気カードリーダの使用方法を示すフローチャートである。
【図４】実施の形態１にかかる磁気カードリーダの使用方法を示す図である。
【図５】実施の形態１にかかる磁気カードリーダの使用方法を示す図である。
【図６】実施の形態１にかかる磁気カードリーダの使用方法を示す図である。
【図７】磁気カードの磁気ストライプ面を示す図である。
【図８】実施の形態１にかかる磁気カードリーダの変形例の断面図である。
【図９】実施の形態１にかかる磁気カードリーダの変形例の断面図である。
【発明を実施するための形態】
【００１１】
実施の形態１．
以下、図１及び図２を参照して実施の形態１にかかる磁気カードリーダについて説明する。図１は、実施の形態１にかかる磁気カードリーダの斜視図である。図２は、実施の形態１にかかる磁気カードリーダの断面図である。
【００１２】
図１及び図２に示すように、磁気カードリーダ１０は、筐体１と、バネ３と、磁気ヘッド４と、逆走防止部５と、ローラ付き板バネ６と、フォトインタラプタ７と、制御部８とを有する。
【００１３】
筐体１は、磁気カード保持孔２と、検知部内蔵室２ｃとを有する筐体である。具体的には、筐体１は、直方体状の筐体であり、その側面には磁気カード保持孔２が開口している。磁気カードリーダ１０は、ユーザが手等を用いることによって、磁気カードを磁気カード保持孔２内に出し入れする手動式のカードリーダである。
【００１４】
磁気カード保持孔２は、磁気カードを保持することができるように、磁気カードの形状を包むような形状、具体的には、磁気カードの形状に倣った形状を有する。磁気カード保持孔２は、筐体１の奥行き方向（ここでは、Ｘ方向）に延びる。磁気カード保持孔２は、筐体１の側面で開口している開口部２ａと、底部２ｂとを有する。なお、磁気カード保持孔２が磁気カードを保持した際に、磁気カードの主面と対向する磁気カード保持孔２の壁面を、磁気カード保持孔２の主壁面と呼ぶ。ここでは、磁気カード保持孔２の主壁面は、ＸＹ平面に沿う壁面である。
【００１５】
検知部内蔵室２ｃは、磁気カード保持孔２の隣に設けられており、磁気カード保持孔２の主壁面において開口しており、拡大する空間である。検知部内蔵室２ｃは、その内側に磁気カードを検知する構成要素として、フォトインタラプタ７を内蔵している。
【００１６】
バネ３は、磁気カード保持孔２の底部２ｂに設置されており、磁気カード保持孔２の深さ方向（ここで、Ｘ方向）に伸縮する。なお、バネ３の代わりに、磁気カード保持孔２に挿し込まれた磁気カードを押し戻す技術的な手段を用いてもよい。このような技術的な手段は、磁気カードを押し当てると、その磁気カードを押し戻す押戻手段であればよい。このような技術的な手段として、例えば、ゴムなどの弾性体や、ソレノイドなどのアクチュエータが挙げられる。
【００１７】
磁気ヘッド４は、磁気カード保持孔２の底部２ｂと開口部２ａとの間には配置されており、具体的には、磁気カード保持孔２に挿し込まれる磁気カードのストライプ部と接触する位置又はその近傍の位置に配置されている。磁気ヘッド４は、磁気ヘッド４近傍を通過する磁気カードのストライプ部の情報を読み取り、読み取られた情報を制御部８に送信する。
【００１８】
逆走防止部５は、磁気カード保持孔２の開口部２ａと磁気ヘッド４との間に配置されている。逆走防止部５は、撓むことのできる部材であり、具体的には、磁気カード保持孔２の主壁面に関して実質的に垂直な方向（ここでは、Ｚ方向）に縮むことのできる部材である。
より具体的には、逆走防止部５は、三角柱であり、逆走防止部５は、その側面５ａが磁気カード保持孔２の主壁面に対向して突き合わせるように、設けられている。逆走防止部５は、開口部２ａ側に面する側面５ｂと、磁気ヘッド４側に面する側面５ｃとを含む。側面５ａと側面５ｂとが交差して成す角度は、側面５ａと側面５ｃとが交差して成す角度と比較して小さい。側面５ａと側面５ｂとが交差して成す角度は、鋭角であり、側面５ａと側面５ｃとが交差して成す角度は、鈍角又は直角である。このような部材として、例えば、ゴムや合成樹脂などの弾性体からなる部材が挙げられる。また、逆走防止部５は、磁気カード保持孔２の主壁面上にバネを介して接続された板状体を用いることによって、形成されてもよい。
逆走防止部５は、外部から力を与えられていない時、磁気カード保持孔２を閉塞している。しかし、磁気カード等のカードが、磁気カード保持孔２の開口部２ａ側から逆走防止部５を通過しようとして、逆走防止部５の側面５ｂに押し当たると、逆走防止部５の側面５ｂを側面５ａ側（ここでは、Ｚ方向）に押して撓ませる。さらに磁気カード等のカードが底部２ｂ側へ進行するにつれて、磁気カード等のカードが側面５ｂを側面５ａ側にさらに押し上げて撓ませる。さらに磁気カード等のカードの進行が進むと、磁気カード保持孔２が開くため、磁気カード保持孔２が逆走防止部５を通過することができる。一方、磁気カード等のカードが、磁気カード保持孔２の底部２ｂ側から逆走防止部５を通過しようとして、逆走防止部５の側面５ｃに押し当たると、逆走防止部５が撓まないので、磁気カード保持孔２を閉塞したままである。したがって、磁気カードの進行が止まり、磁気カードは磁気カード保持孔２に保持されたままである。なお、必要に応じて、磁気カードを磁気カード保持孔２から出すために、逆走防止部５は、磁気カード保持孔２を開くような機構を備えてもよい。
【００１９】
ローラ付き板バネ６は、支点６０と、板バネ６１と、ローラ６２とを含む。支点６０は、検知部内蔵室２ｃに設置されており、板バネ６１を回動可能に支持する。板バネ６１は、回動方向に蓄勢可能なバネであり、ローラ６２を支持する。ローラ６２は、板バネ６１の磁気カード保持孔２側に設けられている。ローラ６２に負荷がかかっていないとき、ローラ６２の一部は、磁気カード保持孔２に位置する。
【００２０】
フォトインタラプタ７は、発光素子７ａと、受光素子７ｂとを含む。発光素子７ａは電流を光に変換して発光する。受光素子７ｂは、光を電流に変換する。受光素子７ｂは、制御部８に電気的に接続されており、変換した電流を磁気カード検知信号として送信する。フォトインタラプタ７は、検知部内蔵室２ｃに設置されている。受光素子７ｂは、発光素子７ａが発する光を受けることができる位置に設置される。具体的には、フォトインタラプタ７は、板バネ６１が検知部内蔵室２ｃ側に回動して、板バネ６１の少なくとも先端が発光素子７ａと受光素子７ｂとの間に入り込むように、検知部内蔵室２ｃに設置されている。フォトインタラプタ７は、電源（図示略）に電気的に接続されて、発光するための電流を供給される。
【００２１】
例えば、発光素子７ａと受光素子７ｂとの間に遮蔽物として板バネ６１が侵入し、発光素子７ａから受光素子７ｂに向かう光が遮断される場合、フォトインタラプタ７はＯＮ状態となり、磁気カードが磁気カード保持孔２に保持されていることを示す磁気カード有検知信号を生成し、この磁気カード有検知信号を制御部８に送信する。一方、発光素子７ａと受光素子７ｂとの間に板バネ６１が侵入しておらず、発光素子７ａから受光素子７ｂに向かう光がそのまま受光素子７ｂに到達する。すると、フォトインタラプタ７はＯＦＦ状態となり、磁気カードが磁気カード保持孔２に保持されていないことを示す磁気カード無検知信号を生成し、この磁気カード無検知信号を制御部８に送信する。ローラ付き板バネ６とフォトインタラプタ７とが、磁気カード検知手段として機能する。
【００２２】
制御部８は、判定部８ａと、磁気ヘッド指令部８ｂとを含む。磁気ヘッド指令部８ｂは、フォトインタラプタ７からの磁気カード検知信号に基づいて、磁気ヘッド４の動作を制御する。具体的には、磁気ヘッド指令部８ｂは、フォトインタラプタ７からの磁気カード無検知信号を受信すると、通常読み取りモードで、磁気ヘッド４によって読み取らせる。通常読み取りモードでは、磁気ヘッド指令部８ｂは、常時読み取り可能なように、磁気ヘッド４を動作させる、又は、磁気ヘッド４によって読み取った情報を常時取得する。
一方、磁気ヘッド指令部８ｂは、フォトインタラプタ７から磁気カード有検知信号を受信すると、保持時読み取りモードで、磁気ヘッド４によって読み取らせる。保持時読み取りモードでは、磁気ヘッド指令部８ｂは、所定の時間が経過した毎に、磁気ヘッド４に読み取らせる、又は、磁気ヘッド４によって読み取らせた情報を取得する。
【００２３】
また、判定部８ａは、通常読み取りモードで磁気ヘッド４によって読み取らせた情報と、保持時読み取りモードで磁気ヘッド４に読み取らせた情報とを比較する。さらに、判定部８ａは、この比較によって、保持時読み取りモードで磁気ヘッド４に読み取らせた情報が、通常読み取りモードで磁気ヘッド４によって読み取らせた情報の一部と同じか否かを判定する。
【００２４】
制御部８は、ハードウェア構成として、例えば、ＣＰＵ（Central Processing Unit）を有する演算回路と、プログラムメモリやデータメモリその他のＲＡＭ（Random Access Memory）やＲＯＭ（Read Only Memory）等を有する記憶装置等を備えてもよい。また、制御部８は、電源（図示略）に接続されて、磁気ヘッド４やフォトインタラプタ７を動作させるための電流を供給してもよい。
【００２５】
磁気カードリーダ１０は、例えば、ユーザ認証システムの一つの構成として使用される。具体的には、磁気カードリーダ１０は、パーソナルコンピュータなどの端末装置Ａ１（図示略）に接続されて、入力部として用いられる。端末装置Ａ１は、各種情報を表示する表示部Ａ２（図示略）を備え、表示部Ａ２は、ユーザが認証している否かを表示する。この表示は、例えば、ユーザの認証が完了したログイン状態、又は、ユーザの認証ができていないログアウト状態を示すメッセージである。端末装置Ａ１は、磁気カードリーダ１０からのカード有検知信号を受け付けると、現在の状態がログイン状態であることを示し、カード無検知信号を受け付けると、現在の状態がログアウト状態であることを示す。
【００２６】
使用方法．
次に、図３を参照しつつ、図４〜図７を用いて実施の形態１にかかる磁気カードリーダ１０の使用方法について説明する。ここでは、磁気カードリーダ１０は、端末装置Ａ１（図示略）に接続されて使用される。図３は、実施の形態１にかかる磁気カードリーダの使用方法を示すフローチャートである。図４〜図６は、実施の形態１にかかる磁気カードリーダの使用方法を示す図である。図７は、磁気カードの磁気ストライプ面を示す図である。
【００２７】
まず、図４に示すように、磁気カードＣ１を磁気カード保持孔２へ挿入して、ログイン状態にさせる（ログイン開始ステップＳ１）。図７に示すように、磁気カードＣ１は、各種情報を記憶する記憶部、例えば、磁気ストライプ部Ｃ２を主面に有するカードである。具体的には、磁気ストライプ部Ｃ２は、カード挿入方向（ここではＸ方向）に相当する磁気カードＣ１の長手方向に延びる帯状部であり、複数の磁性体粒子を有する。これらの複数の磁性体粒子は、磁気カードＣ１に記憶される情報に対応するように、異なる磁性を有する。磁気ストライプ部Ｃ２は、読み取り開始地点を示すスタートマークＣ２ａと、ユーザに関する情報を記憶する記憶部Ｃ２ｂと、読み取り終了地点を示すエンドマークＣ２ｃとを含む。
【００２８】
次いで、図５に示すように、引き続き磁気カードＣ１を磁気カード保持孔２の底部２ｂ側に押し入れて、磁気ヘッド４によって磁気カードＣ１の磁気ストライプ部Ｃ２を読み取らせる（カード順方向読取ステップＳ２）。磁気カードＣ１が磁気ヘッド４を通過し、磁気ストライプ部Ｃ２が全て磁気ヘッド４によって読み取られる。具体的には、スタートマークＣ２ａと、記憶部Ｃ２ｂと、エンドマークＣ２ｃとが、この順に磁気ヘッド４に読み取られる。なお、磁気カード保持孔２の底部２ｂ側に向かう方向は、カード挿入方向（ここで、Ｘ方向）の順方向である。
【００２９】
次いで、引き続き磁気カードＣ１を磁気カード保持孔２の底部２ｂ側に押し入れて、磁気カードＣ１を検知する（カード有検知ステップＳ３）。具体的には、磁気カードＣ１をローラ６２に押し当てることによって、板バネ６１が検知部内蔵室２ｃ側へ回動し、板バネ６１の先端が発光素子７ａと受光素子７ｂとの間に入り込む。これによって、フォトインタラプタ７の光を遮り、磁気カードＣ１の存在を検知する。
【００３０】
次いで、引き続き磁気カードＣ１を磁気カード保持孔２の底部２ｂまで押し入れることによって、バネ３が縮んで、蓄勢する。磁気カードＣ１を押し入れる力を解除すると、図６に示すように、バネ３の復元力によって、磁気カードＣ１を磁気カード保持孔２の開口部２ａ側に押し返して、再び磁気カードＣ１の磁気ストライプ部Ｃ２を読み取らせる（カード逆方向読取ステップＳ４）。エンドマークＣ２ｃと、記憶部Ｃ２ｂとは、この順に磁気ヘッド４に読み取られる。エンドマークＣ２ｃのみを読み取っても構わない。なお、磁気カード保持孔２の開口部２ａ側に向かう方向は、カード挿入方向（ここで、Ｘ方向）の逆方向である。
【００３１】
次いで、ユーザの認証が完了したため、ユーザが端末装置においてログインした状態となる（ログイン状態ステップＳ５）。ユーザがログインしたことにより、ユーザは端末装置を用いて、様々なリソースにアクセスして、各種作業を行うことができる。
【００３２】
次いで、予め設定された所定の時間が経過するごとに、磁気ヘッド４を用いて、磁気カードＣ１が磁気カード保持孔２によって保持されているか否かを検知する（カード無検知ステップＳ６）。具体的には、磁気ストライプ部Ｃ２の一部を磁気ヘッド４によって読み取り、読み取った情報と、カード順方向読取ステップＳ２で読み取られた情報の一部とが同じか否かを判定する。
これらの情報が同じである場合、磁気カードＣ１が保持されていると判定し（ＮＯ：カード無検知ステップＳ６）、ログイン状態ステップＳ５に戻る。
一方、これらの情報が否である場合、磁気カードＣ１が保持されていないと判定し（ＹＥＳ：カード無検知ステップＳ６）、端末装置にログアウト状態を表示させる（ログアウトステップＳ７）。最後に、磁気カードリーダ１０の使用を終了する。なお、ユーザの判断に応じて、再びログイン開始ステップＳ１に戻ってもよい。
【００３３】
ところで、ログイン状態ステップＳ５で、磁気カードＣ１と殆ど同じ形状の磁気カードＣ９（図示略）を磁気カード保持孔２に挿し込んだ後に、磁気カードＣ１を磁気カード保持孔２から取り出す。カード無検知ステップＳ６では、磁気カードＣ１が保持されていないと判定し（ＹＥＳ：カード無検知ステップＳ６）、端末装置にログアウト状態を表示させる（ログアウトステップＳ７）。
【００３４】
以上、実施の形態１にかかる磁気カードリーダによれば、ログイン状態で、磁気カードとほとんど同じ形状のカードを用いても、このカードと磁気カードとの差異を判定することができる。したがって、セキュリティを損なうおそれが少ない。
【００３５】
また、実施の形態１にかかる磁気カードリーダによれば、磁気カードのエンドマークに加えて、記憶部の少なくとも一部も読み取る。また、記憶部から読み取られた情報と、すでに読み取った情報とを比較して、ログイン開始時での磁気カードとログイン状態での磁気カードとが同じか否かを判定することができる。すなわち、ログイン状態で、ログインするときに用いた磁気カードとは別の磁気カードを用いても、その別の磁気カードと磁気カードとの差異を判定することができる。したがって、セキュリティを損なうおそれがさらに少ない。
【００３６】
ところで、磁気カードをカード保持孔内において自動的に搬送することで、出し入れする自動搬送式の磁気カードリーダがある。自動搬送式の磁気カードリーダは、ログイン状態で、磁気カードをカード保持孔内から取り出せないように、カード保持孔内に収納している。そのため、磁気カードと殆ど同じ形状の磁気カードを用いることで、ログイン状態を誤って継続するおそれが殆ど無い。したがって、自動搬送式のカードリーダは、一般的に使用される手動式の磁気カードリーダ、例えば、特許文献１に開示される磁気カードリーダと比較して、高いセキュリティを有する。しかし、自動搬送式の磁気カードリーダは、一般的に使用される手動式の磁気カードリーダと異なり、磁気カードを自動的に搬送させるための部品を必要とするため、手動式の磁気カードリーダと比較して、格段に高いコストを要する。
【００３７】
一方、実施の形態１にかかる磁気カードリーダは、手動式であるため、自動搬送式の磁気カードリーダと比較して、格段に低いコストで製造される。それでいながら、実施の形態１にかかる磁気カードリーダは、自動搬送式の磁気カードリーダと同様に、ログイン状態で、磁気カードとほとんど同じ形状のカードを用いても、そのカードと磁気カードとの差異を判定することができる。そのため、実施の形態１にかかる磁気カードリーダは、自動搬送式の磁気カードリーダと同様に、一般的に使用される手動式の磁気カードリーダと比較して、高いセキュリティを有する。
【００３８】
なお、本発明は上記実施の形態に限られたものではなく、趣旨を逸脱しない範囲で適宜変更することが可能である。
【００３９】
例えば、実施の形態１にかかる磁気カードリーダでは、フォトインタラプタ７は検知部内蔵室２ｃに設けられたが、図８に示すように、フォトインタラプタ７はカード保持孔における磁気ヘッド４とバネ３との間に配置されてもよい。図８は、実施の形態１にかかる磁気カードリーダの変形例の断面図である。図８に示す磁気カードリーダ２０では、磁気カードＣ１を磁気カード保持孔２に挿し込むと、磁気カードＣ１が発光素子７ａから受光素子７ｂまでの光を直接遮蔽する。また、ローラ付き板バネ６は、省いてもよい。
【００４０】
また、実施の形態１にかかる磁気カードリーダは、ローラ付き板バネ６を備えたが、図９に示すように、ローラ付きバネ２６を備えてもよい。図９は、実施の形態１にかかる磁気カードリーダの変形例の断面図である。図９に示す磁気カードリーダ３０では、ローラ付きバネ２６は、磁気カード挿入方向（ここで、Ｘ方向）に関して垂直な方向（ここで、Ｚ方向）に、移動可能に保持されている。磁気カードＣ１を磁気カード保持孔２に挿し込むと、ローラ付きバネ２６は、検知部内蔵室２ｃに向かって動き、発光素子７ａから受光素子７ｂまでの光を遮蔽する。フォトインタラプタ７は、ローラ付きバネ２６の移動に応じて、検知部内蔵室２ｃに設けられている。
【００４１】
また、実施の形態１にかかる磁気カードリーダは、フォトインタラプタを備えたが、フォトカプラ、又は、カードの有無を物理的に検知するセンサを用いてもよい。このようなセンサとして、例えば、磁気カードに押し当てられることで、磁気カードの有無を検知するスイッチが挙げられる。このようなスイッチは、例えば、バネ３（図２参照）と底部２ｂとの間に設けられる。
【００４２】
また、実施の形態１にかかる磁気カードリーダは、フォトインタラプタ及びローラ付き板バネを備えたが、適宜、フォトインタラプタ及びローラ付き板バネを省略しても構わない。実施の形態１にかかる磁気カードリーダは、これらを省略した構成であっても、上記したように、ログイン状態で、磁気カードとほとんど同じ形状のカードを用いても、このカードと磁気カードとの差異を判定することができる。したがって、セキュリティを損なうおそれが少ない。
【符号の説明】
【００４３】
１０、２０、３０  磁気カードリーダ
１  筐体                                  ２  磁気カード保持孔
２ａ  開口部                              ２ｂ  底部
３  バネ                                  ４  磁気ヘッド
５  逆走防止部                            
Ｃ１  磁気カード                          
【図１】
0006459713.tif 000002
【図２】
0006459713.tif 000003
【図３】
0006459713.tif 000004
【図４】
0006459713.tif 000005
【図５】
0006459713.tif 000006
【図６】
0006459713.tif 000007
【図７】
0006459713.tif 000008
【図８】
0006459713.tif 000009
【図９】
0006459713.tif 000010